(57)【要約】【課題】高速かつ複雑な回路無しでバーチャル・コンカティネーション帯域変更をＭＡＣフレームの消失およびエラーなしに行うことを可能とするバーチャル・コンカティネーション・パスの無瞬断変更方式を提供する。【解決手段】送信側バーチャル・コンカティネーション通信装置へＭＡＣ（Ｍｅｄｉａ　Ａｃｃｅｓｓ　Ｃｏｎｔｒｏｌ）フレームの供給をする装置にその供給を停止させる停止手段２、４、８と、前記供給が停止してから、前記送信側バーチャル・コンカティネーション通信装置と受信側バーチャル・コンカティネーション通信装置との間で、新たな帯域によるＧＦＰ（Ｇｅｎｅｒｉｃ　Ｆｒａｍｅ　Ｐｒｏｃｅｄｕｒｅ）フレームの同期を空きフレームにより確立する同期確立手段３、４、５、６、７と、前記同期が確立してから、前記送信側バーチャル・コンカティネーション通信装置へＭＡＣフレームの供給をする前記装置にその供給を再開させる再開手段２、５、８と、を備える。【選択図】　　　　図１
2004023259.tif 000002
【特許請求の範囲】
【請求項１】
送信側バーチャル・コンカティネーション通信装置へＭＡＣ（Ｍｅｄｉａ　Ａｃｃｅｓｓ　Ｃｏｎｔｒｏｌ）フレームの供給をする装置にその供給を停止させる停止手段と、
前記供給が停止してから、前記送信側バーチャル・コンカティネーション通信装置と受信側バーチャル・コンカティネーション通信装置との間で、新たな帯域によるＧＦＰ（Ｇｅｎｅｒｉｃ　Ｆｒａｍｅ　Ｐｒｏｃｅｄｕｒｅ）フレームの同期を空きフレームにより確立する同期確立手段と、
前記同期が確立してから、前記送信側バーチャル・コンカティネーション通信装置へＭＡＣフレームの供給をする前記装置にその供給を再開させる再開手段と、
を備えることを特徴とするバーチャル・コンカティネーション・パスの無瞬断変更方式。
【請求項２】
請求項１に記載のバーチャル・コンカティネーション・パスの無瞬断変更方式において、
前記停止手段は、前記送信側バーチャル・コンカティネーション通信装置へＭＡＣフレームの供給をする前記装置に、ポーズ・フレームを送出する手段を備えることを特徴とするバーチャル・コンカティネーション・パスの無瞬断変更方式。
【請求項３】
請求項２に記載のバーチャル・コンカティネーション・パスの無瞬断変更方式において、
前記再開手段は、
前記受信側バーチャル・コンカティネーション通信装置で前記同期が確立したときに、前記受信側バーチャル・コンカティネーション通信装置から前記送信側バーチャル・コンカティネーション通信装置に前記同期が確立したことを通知する手段と、
前記通知があったときに、前記送信側バーチャル・コンカティネーション通信装置へＭＡＣフレームの供給をする前記装置への前記ポーズ・フレームの送出を停止する手段を備えることを特徴とするバーチャル・コンカティネーション・パスの無瞬断変更方式。
【請求項４】
請求項１乃至３のいずれか１項に記載のバーチャル・コンカティネーション・パスの無瞬断変更方式において、
前記同期確立手段は、
空きフレームを前記送信側バーチャル・コンカティネーション通信装置から前記受信側バーチャル・コンカティネーション通信装置に送信する手段と、
前記空きフレームが前記送信側バーチャル・コンカティネーション通信装置から前記受信側バーチャル・コンカティネーション通信装置に送信されている間に、バーチャル・コンカティネーション・パスの帯域を変更する手段と、
を備えることを特徴とするバーチャル・コンカティネーション・パスの無瞬断変更方式。
【請求項５】
送信側バーチャル・コンカティネーション通信装置が供給を受けたＭＡＣ（Ｍｅｄｉａ　Ａｃｃｅｓｓ　Ｃｏｎｔｒｏｌ）フレームの前記送信側バーチャル・コンカティネーション通信装置から受信側バーチャル・コンカティネーション通信装置への供給を停止し、それらのＭＡＣフレームの一時蓄積をする蓄積手段と、
前記停止が開始してから、前記送信側バーチャル・コンカティネーション通信装置と受信側バーチャル・コンカティネーション通信装置との間で、新たな帯域によるＧＦＰ（Ｇｅｎｅｒｉｃ　Ｆｒａｍｅ　Ｐｒｏｃｅｄｕｒｅ）フレームの同期を空きフレームにより確立する同期確立手段と、
前記同期が確立してから、前記一時蓄積されていたＭＡＣフレームの前記送信側バーチャル・コンカティネーション通信装置から前記受信側バーチャル・コンカティネーション通信装置への供給を再開する再開手段と、
を備えることを特徴とするバーチャル・コンカティネーション・パスの無瞬断変更方式。
【請求項６】
請求項５に記載のバーチャル・コンカティネーション・パスの無瞬断変更方式において、
前記同期確立手段は、
空きフレームを前記送信側バーチャル・コンカティネーション通信装置から前記受信側バーチャル・コンカティネーション通信装置に送信する手段と、
前記空きフレームが前記送信側バーチャル・コンカティネーション通信装置から前記受信側バーチャル・コンカティネーション通信装置に送信されている間に、バーチャル・コンカティネーション・パスの帯域を変更する手段と、
を備えることを特徴とするバーチャル・コンカティネーション・パスの無瞬断変更方式。
【請求項７】
送信側バーチャル・コンカティネーション通信装置へＭＡＣ（Ｍｅｄｉａ　Ａｃｃｅｓｓ　Ｃｏｎｔｒｏｌ）フレームの供給をする装置にその供給を停止させる停止ステップと、
前記供給が停止してから、前記送信側バーチャル・コンカティネーション通信装置と受信側バーチャル・コンカティネーション通信装置との間で、新たな帯域によるＧＦＰ（Ｇｅｎｅｒｉｃ　Ｆｒａｍｅ　Ｐｒｏｃｅｄｕｒｅ）フレームの同期を空きフレームにより確立する同期確立ステップと、
前記同期が確立してから、前記送信側バーチャル・コンカティネーション通信装置へＭＡＣフレームの供給をする前記装置にその供給を再開させる再開ステップと、
を有することを特徴とするバーチャル・コンカティネーション・パスの無瞬断変更方法。
【請求項８】
請求項７に記載のバーチャル・コンカティネーション・パスの無瞬断変更方法において、
前記停止ステップは、前記送信側バーチャル・コンカティネーション通信装置へＭＡＣフレームの供給をする前記装置に、ポーズ・フレームを送出するステップを有することを特徴とするバーチャル・コンカティネーション・パスの無瞬断変更方法。
【請求項９】
請求項８に記載のバーチャル・コンカティネーション・パスの無瞬断変更方法において、
前記再開ステップは、
前記受信側バーチャル・コンカティネーション通信装置で前記同期が確立したときに、前記受信側バーチャル・コンカティネーション通信装置から前記送信側バーチャル・コンカティネーション通信装置に前記同期が確立したことを通知するステップと、
前記通知があったときに、前記送信側バーチャル・コンカティネーション通信装置へＭＡＣフレームの供給をする前記装置への前記ポーズ・フレームの送出を停止するステップを有することを特徴とするバーチャル・コンカティネーション・パスの無瞬断変更方法。
【請求項１０】
請求項７乃至９のいずれか１項に記載のバーチャル・コンカティネーション・パスの無瞬断変更方法において、
前記同期確立ステップは、
空きフレームを前記送信側バーチャル・コンカティネーション通信装置から前記受信側バーチャル・コンカティネーション通信装置に送信するステップと、
前記空きフレームが前記送信側バーチャル・コンカティネーション通信装置から前記受信側バーチャル・コンカティネーション通信装置に送信されている間に、バーチャル・コンカティネーション・パスの帯域を変更するステップと、
を有することを特徴とするバーチャル・コンカティネーション・パスの無瞬断変更方法。
【請求項１１】
送信側バーチャル・コンカティネーション通信装置が供給を受けたＭＡＣ（Ｍｅｄｉａ　Ａｃｃｅｓｓ　Ｃｏｎｔｒｏｌ）フレームの前記送信側バーチャル・コンカティネーション通信装置から受信側バーチャル・コンカティネーション通信装置への供給を停止し、それらのＭＡＣフレームの一時蓄積をする蓄積ステップと、
前記停止が開始してから、前記送信側バーチャル・コンカティネーション通信装置と受信側バーチャル・コンカティネーション通信装置との間で、新たな帯域によるＧＦＰ（Ｇｅｎｅｒｉｃ　Ｆｒａｍｅ　Ｐｒｏｃｅｄｕｒｅ）フレームの同期を空きフレームにより確立する同期確立ステップと、
前記同期が確立してから、前記一時蓄積されていたＭＡＣフレームの前記送信側バーチャル・コンカティネーション通信装置から前記受信側バーチャル・コンカティネーション通信装置への供給を再開する再開ステップと、
を有することを特徴とするバーチャル・コンカティネーション・パスの無瞬断変更方法。
【請求項１２】
請求項１１に記載のバーチャル・コンカティネーション・パスの無瞬断変更方法において、
前記同期確立ステップは、
空きフレームを前記送信側バーチャル・コンカティネーション通信装置から前記受信側バーチャル・コンカティネーション通信装置に送信するステップと、
前記空きフレームが前記送信側バーチャル・コンカティネーション通信装置から前記受信側バーチャル・コンカティネーション通信装置に送信されている間に、バーチャル・コンカティネーション・パスの帯域を変更するステップと、
を有するることを特徴とするバーチャル・コンカティネーション・パスの無瞬断変更方法。
【発明の詳細な説明】
【０００１】
【発明の属する技術分野】
本発明は、複数のソネット・パス（Ｓｏｎｅｔ　Ｐａｔｈ）（ＳＴＳ−１，ＳＴＳ−３ｃ）が多重されたソネット伝送路で複数のソネット・パスで構成されるバーチャル・コンカティネーション・パス（Ｖｉｒｔｕａｌ　Ｃｏｎｃａｔｅｎａｔｉｏｎ　Ｐａｔｈ）でイーサネット（登録商標）のＭＡＣ（Ｍｅｄｉａ　Ａｃｃｅｓｓ　Ｃｏｎｔｒｏｌ）フレーム等を伝送する場合に、バーチャル・コンカティネーションを構成する複数のソネット・パスの数を変更してバーチャル・コンカティネーション・パスの帯域を変更する際にＭＡＣフレームの損失およびエラーなしに帯域増減できる通信装置を提供するものである。
【０００２】
【従来の技術】
バーチャル・コンカティネーションはＩＴＵ−Ｔ　Ｇ．７０７，７８４にて標準化されており、またその帯域増減に関する装置間の帯域増減のシーケンスについても規定されているが、具体的なハードウェア構成については標準化の範囲外となっている。
【０００３】
また、本発明で使用するイーサネットのＭＡＣフレームなどをソネット上にマッピングするフレーム技術であるＧＦＰ（Ｇｅｎｅｒｉｃ　Ｆｒａｍｅ　Ｐｒｏｃｅｄｕｒｅ）もＩＴＵ−Ｔ　Ｇ．７０４１にて標準化されている。
【０００４】
従来のバーチャル・コンカティネーション・パスの帯域増減する場合に信号の損失およびエラーなしに実現する方式を図５に示す。
【０００５】
従来の方式は、バーチャル・コンカティネーション・パスの設定を指示するソネット・マッピング設定回路４、６を帯域変更前と変更後の設定を指示するため２個ずつ持っている。これをマッピング選択回路１１、１２で選択して帯域変更を行う。この切り替えをエラーなしに行うためには、ＧＦＰフレーム生成回路２とソネット・マッピング回路３をタイミング同期させる機能および帯域変更となるタイミングを送出するソネットフレームの先頭に正確に合わせるタイミング調整機能をマッピング選択回路１１に有している。また、マッピング選択回路１２には、ソネット伝送路からのバーチャル・コンカティネーションの帯域が変更になるタイミングを常時監視して、帯域が変わった瞬間にマッピング設定変更を切り替える機能を有する。
【０００６】
【発明が解決しようとする課題】
しかし、この従来技術では次の様な問題点があった。
【０００７】
その問題はハードウェア規模が増えること、および正確なタイミング同期などの高速かつ複雑な回路が必要となることである。
【０００８】
その理由はバーチャル・コンカティネーション帯域変更をエラーなしに行うため帯域変更を正確なタイミングでかつ各回路で同期したタイミングで帯域切り替えを行う必要があるからである。
【０００９】
本発明は、上記の問題点に鑑みてなされたものであり、高速かつ複雑な回路無しでバーチャル・コンカティネーション帯域変更をＭＡＣフレームの消失およびエラーなしに行うことを可能とするバーチャル・コンカティネーション・パスの無瞬断変更方式を提供することを目的とする。
【００１０】
【課題を解決するための手段】
本発明の第１の観点によれば、送信側バーチャル・コンカティネーション通信装置へＭＡＣフレームの供給をする装置にその供給を停止させる停止手段と、前記供給が停止してから、前記送信側バーチャル・コンカティネーション通信装置と受信側バーチャル・コンカティネーション通信装置との間で、新たな帯域によるＧＦＰフレームの同期を空きフレームにより確立する同期確立手段と、前記同期が確立してから、前記送信側バーチャル・コンカティネーション通信装置へＭＡＣフレームの供給をする前記装置にその供給を再開させる再開手段と、を備えることを特徴とするバーチャル・コンカティネーション・パスの無瞬断変更方式が提供される。
【００１１】
本発明の第１の観点によるバーチャル・コンカティネーション・パスの無瞬断変更方式において、前記停止手段は、前記送信側バーチャル・コンカティネーション通信装置へＭＡＣフレームの供給をする前記装置に、ポーズ・フレームを送出する手段を備えていてもよい。
【００１２】
本発明の第１の観点によるバーチャル・コンカティネーション・パスの無瞬断変更方式において、前記再開手段は、前記受信側バーチャル・コンカティネーション通信装置で前記同期が確立したときに、前記受信側バーチャル・コンカティネーション通信装置から前記送信側バーチャル・コンカティネーション通信装置に前記同期が確立したことを通知する手段と、前記通知があったときに、前記送信側バーチャル・コンカティネーション通信装置へＭＡＣフレームの供給をする前記装置への前記ポーズ・フレームの送出を停止する手段を備えていてもよい。
【００１３】
本発明の第１の観点によるバーチャル・コンカティネーション・パスの無瞬断変更方式において、前記同期確立手段は、空きフレームを前記送信側バーチャル・コンカティネーション通信装置から前記受信側バーチャル・コンカティネーション通信装置に送信する手段と、前記空きフレームが前記送信側バーチャル・コンカティネーション通信装置から前記受信側バーチャル・コンカティネーション通信装置に送信されている間に、バーチャル・コンカティネーション・パスの帯域を変更する手段と、を備えていてもよい。
【００１４】
本発明の第２の観点によれば、送信側バーチャル・コンカティネーション通信装置が供給を受けたＭＡＣフレームの前記送信側バーチャル・コンカティネーション通信装置から受信側バーチャル・コンカティネーション通信装置への供給を停止し、それらのＭＡＣフレームの一時蓄積をする蓄積手段と、前記停止が開始してから、前記送信側バーチャル・コンカティネーション通信装置と受信側バーチャル・コンカティネーション通信装置との間で、新たな帯域によるＧＦＰフレームの同期を空きフレームにより確立する同期確立手段と、前記同期が確立してから、前記一時蓄積されていたＭＡＣフレームの前記送信側バーチャル・コンカティネーション通信装置から前記受信側バーチャル・コンカティネーション通信装置への供給を再開する再開手段と、を備えることを特徴とするバーチャル・コンカティネーション・パスの無瞬断変更方式が提供される。
【００１５】
本発明の第２の観点によるバーチャル・コンカティネーション・パスの無瞬断変更方式において、前記同期確立手段は、空きフレームを前記送信側バーチャル・コンカティネーション通信装置から前記受信側バーチャル・コンカティネーション通信装置に送信する手段と、前記空きフレームが前記送信側バーチャル・コンカティネーション通信装置から前記受信側バーチャル・コンカティネーション通信装置に送信されている間に、バーチャル・コンカティネーション・パスの帯域を変更する手段と、を備えていてもよい。
【００１６】
【発明の実施の形態】
以下、図面を参照して本発明の実施形態について詳細に説明する。
【００１７】
［実施形態１］
図１を参照すると本発明の実施形態によるバーチャル・コンカティネーション通信装置９は、イーサネット回線からイーサネットのＭＡＣフレームを受信するイーサネット受信回路１、受信したＭＡＣフレームをソネットにマッピングするためにＧＦＰフレームでカプセル化するＧＦＰフレーム生成回路２、ＧＦＰフレームをソネットの複数のパスにマッピングするソネット・マッピング回路３、およびＧＦＰフレーム生成回路２とソネット・マッピング回路３へマッピングするソネット・パスを指示するソネット・マッピング設定回路４を有する。また、ソネット伝送路から指定された複数のソネット・パスからデータを受信するソネット・デマッピング回路５、受信したデータからＧＦＰフレームの同期をとりイーサネットのＭＡＣフレームを取り出すＧＦＰ同期回路７、取り出したＭＡＣフレームをイーサネット回線へ送出するイーサネット送信回路８、およびソネット伝送路でデータがマッピングされているパスを指示するソネット・マッピング設定回路６を有する。
【００１８】
イーサネット送信回路８はバーチャル・コンカティネーションのパス帯域の変更に取りかかる時からパス帯域変更が終了する時までの間にＧＦＰフレーム生成回路２からポーズ（ｐａｕｓｅ）・フレーム送出開始信号を受け取り、ポーズ・フレーム送出開始信号を受け取っている間は、イーサネット回線にポーズ・フレームを送出する機能を有する。バーチャル・コンカティネーション通信装置９との間でＭＡＣフレームを送受信する装置は、ポーズ・フレームを受信している間は、バーチャル・コンカティネーション通信装置９へのＭＡＣフレームの供給を中断する。
【００１９】
ＧＦＰフレーム生成回路２は、イーサネット送出回路８に対してバーチャル・コンカティネーションのパス帯域の変更を開始する時にポーズ・フレーム送出開始信号を、ソネット・デマッピング回路５からのＧＦＰフレーム同期確立信号を受けた時にポーズ・フレーム送出停止信号を出力する機能を有する。
【００２０】
ソネット・マッピング回路３は、バーチャル・コンカティネーションのパス帯域変更後にＧＦＰフレーム同期回路７からＧＦＰフレーム同期確立信号を受けるとソネット・フレームのオーバーヘッド上の帯域を使用して相手装置へＧＦＰフレーム同期が確立したことを通知する機能を有する。
【００２１】
ソネット・デマッピング回路５は、ソネット・フレームのオーバーヘッドから相手装置でＧＦＰフレームの同期が確立した通知を受け取り、ＧＦＰフレーム生成回路２へその通知をする機能を有する。
【００２２】
次に、本発明の実施形態の動作について、図１及び図２を参照して説明する。
【００２３】
バーチャル・コンカティネーション通信装置９はイーサネット回線から入力されるＭＡＣフレームをイーサネット受信回路１で受信し、受信したＭＡＣフレームをＧＦＰフレーム生成回路２でソネット伝送路で伝送するためにＧＦＰフレームでカプセル化してソネット・マッピング設定回路４からの速度およびマッピング設定に従ってＧＦＰ空きフレームで速度調整して出力する。出力されたＧＦＰフレームはソネット・マッピング回路３でソネット・マッピング設定回路４からの指示で所定のソネット伝送路の複数のソネット・パスにバーチャル・コンカティネーションでマッピングされる。また、ソネット伝送路の複数のソネット・パスのバーチャル・コンカティネーションにマッピングされたデータをソネット・デマッピング回路５により受け取り、ソネット・マッピング設定回路６から指示されたソネット・パスからＧＦＰフレームデータを取り出す。ＧＦＰ同期回路７で取りだされたＧＦＰフレームのＧＦＰフレーム同期をとり、ＧＦＰ空きフレームを除いたＧＦＰフレームからカプセル化されたＭＡＣフレームを取り出し、ＭＡＣフレームをイーサネット送信回路８に渡し、イーサネット送信回路８からＭＡＣフレームをイーサネット回線へ送出する。
【００２４】
図１では３本のソネット・パスにマッピングする例を示しているが、この帯域をソネット・パス２本に削減したり、ソネット・パス４本に増加する場合に、ソネット・マッピング設定回路４からのマッピング指定を変更する。このマッピング指定を変更する直前にソネット・マッピング設定回路４からの指示により（Ｓ１０１）、ＧＦＰフレーム生成回路２はイーサネット送信回路８へのポーズ・フレーム送信要求信号の出力を開始し（Ｓ１０３）、イーサネット送信回路８はポーズ・フレームを送出する（Ｓ１０５）。ポーズ・フレームを受信したイーサネット回線に接続された装置はバーチャル・コンカティネーション通信装置へのＭＡＣフレーム送出を停止する。イーサネット受信回路１は、ＭＡＣフレームを受信しなくなり（Ｓ１０７）、ＭＡＣフレームが受信されない場合は、ＧＦＰフレーム生成回路２はＧＦＰ空きフレームのみを送出し（Ｓ１０９）、ソネット・マッピング回路３も、空きフレームを送出する（Ｓ１１１）。従って、ソネット伝送路が接続された対向のバーチャル・コンカティネーション通信装置９’のソネット・デマッピング回路５’は空きフレームを受信する（Ｓ１１３）。その後、ソネット・マッピング指定回路４からのマッピング指定の変更により（Ｓ１１５）、ソネット・マッピング回路３はバーチャル・コンカティネーション・パスの帯域を変更するが（Ｓ１１６）、このときバーチャル・コンカティネーションのパス上にはＧＦＰ空きフレームしか伝送されない（Ｓ１１８）。一方、バーチャル・コンカティネーション通信装置９’では、ソネット・マッピング指定回路６’からのマッピング指定の変更により（Ｓ１１７）、ソネット・デマッピング回路５’はバーチャル・コンカティネーション・パスの帯域を変更する（Ｓ１１８）。ソネット・デマッピング回路５’からのＧＦＰフレームデータを受けたＧＦＰ同期回路７’はＧＦＰフレームのフレーム同期をとるが、バーチャル・コンカティネーション・パスの帯域が変更された瞬間はＧＦＰフレームデータの連続性がとぎれるためＧＦＰフレームの同期はずれをおこすが、その後のＧＦＰ空きフレームの受信によりＧＦＰフレーム同期がとれる（Ｓ１２１）。ＧＦＰフレーム同期がとれると、ＧＦＰ同期回路７’からソネット・マッピング回路３’へＧＦＰフレーム同期確立通知信号を出し（Ｓ１２３）、ソネット・フレームのオーバーヘッド帯域を使用してバーチャル・コンカティネーション通信装置９へ帯域変更後のＧＦＰフレーム同期が確立したことをＧＦＰフレーム同期確立通知信号により通知する（Ｓ１２５）。ＧＦＰフレーム同期確立通知を受信したソネット・デマッピング回路５はＧＦＰフレーム生成回路２へＧＦＰフレーム同期確立通知信号を出力する（Ｓ１２７）。ＧＦＰフレーム生成回路２は、イーサネット送信回路８へのポーズ・フレーム送出要求信号の出力を停止する（Ｓ１２９）。イーサネット送信回路８は、ポーズ・フレームの送出を停止し、イーサネット回線に接続されている装置からのＭＡＣフレームの送信が再開され、イーサネット受信回路１でＭＡＣフレームが受信され（Ｓ１３３）、受信されたＭＡＣフレームはＧＦＰフレーム生成回路２でＧＦＰフレーム化され、ソネット・マッピング回路３から帯域変更されたバーチャルコンカチパスへ送出される（Ｓ１３５）。対向するバーチャル・コンカティネーション通信装置９’側では既に帯域変更後のマッピングでＧＦＰフレーム同期も確立した状態であるので、ＧＦＰフレーム同期はずれもおこさずＭＡＣフレームがカプセル化されたＧＦＰフレームを受信し、エラーのなくＭＡＣフレームを取り出し、ＭＡＣフレームをイーサネット回線に送出する。
【００２５】
このようにバーチャル・コンカティネーション・パスの帯域変更時にイーサネット回線にポーズ・フレームを送出してＭＡＣフレームを停止して、停止している間に帯域変更を行い、ＧＦＰ空きフレームによりＧＦＰフレーム同期を確立した後にポーズ・フレーム送出を停止してＭＡＣフレーム伝送を再開することでＭＡＣフレームの損失およびエラーなしにバーチャル・コンカティネーション・パスの帯域変更を実現できる。
【００２６】
［実施形態２］
実施形態１は、イーサネットのフロー・コントロールのポーズ・フレームを使用して、帯域増減中は伝送するＭＡＣフレームを止める方式であるが、フロー・コントロール機能使用しない方式も可能である。
【００２７】
図３にフロー・コントロール機能を使用しない方式を示す。図３と図１の相違は、ＧＦＰフレーム生成回路２にバッファ・メモリ１０を配備している点である。本方式では、バーチャル・コンカティネーションのパス帯域の増減時にイーサネット回線からのＭＡＣフレームをこのバッファ・メモリ１０で一時蓄積し、バーチャル・コンカティネーション・パスの帯域増減完了後にＭＡＣフレームをＧＦＰフレームにカプセル化して送信することによって、帯域増減時のＭＡＣフレームの損失およびエラーを発生させない方式である。
【００２８】
次に、本発明の実施形態の動作について、図３及び図４を参照して説明する。
【００２９】
本実施形態では、実施形態１のＧＦＰフレーム生成回路２からイーサネット送信回路８へのポーズ・フレーム送出要求信号の出力が無いため、実施形態１のＳ１０３及びＳ１２９は無い。イーサネット受信回路１は、帯域変更の処理が行われている間もＭＡＣフレームを受信する。
【００３０】
ＧＦＰフレーム生成回路２は、ソネット・マッピング設定回路４から帯域変更開始の指示があると（Ｓ１０１）、イーサネット受信回路１から入力したＭＡＣフレームをバッファ１０に蓄積し、空きフレームを送出する動作を開始する（Ｓ２０１）。また、ＧＦＰフレーム生成回路２は、ソネット・デマッピング回路５からＧＦＰフレーム同期確立通知信号を入力すると、イーサネット受信回路１から入力したＭＡＣフレームをバッファ１０に蓄積し、空きフレームを送出する動作を終了する（Ｓ２０３）。ＧＦＰフレーム生成回路２は空きフレームの送出を終了したならば、バッファ１０に蓄積されているＭＡＣフレームの送出を開始する。なお、バッファ１０はＦＩＦＯ構造を有し、送出の再開直後にイーサネット受信回路１からＧＦＰフレーム生成回路２に供給されるＭＡＣフレームも空きフレーム送出時と同様にバッファ１０に順々に蓄積され送出されるまでバッファ１０に滞在する。バッファ１０に蓄積されるＭＡＣフレームは空きフレーム送出開始時から空きフレーム送出終了までの間にゼロから増加し、空きフレーム送出終了時から逐次ゼロまで減少する。
【００３１】
この他の動作は実施形態１と同様であるので、図４に示すのみとして、その説明を省略する。
【００３２】
【発明の効果】
本発明の効果は、高速および複雑な回路を必要とせずに、ＭＡＣフレームの損失およびエラーなしにバーチャル・コンカティネーション・パスの帯域の増減ができることである。
【００３３】
その理由は、帯域増減前にイーサネットのフロー・コントロールのポーズ・フレームを送出しＭＡＣフレームの受信を止め、ＭＡＣフレームの受信を止めている間に伝送帯域の増減を行い、帯域の増減完了後にポーズ・フレームの送出を止めＭＡＣフレームの受信を再開して、ＭＡＣフレームの伝送を行う簡易な構成で実現するので、帯域切り替え時の正確なタイミングで回路間を同期動作させるなどの正確かつ複雑な回路の必要がないからである。
【図面の簡単な説明】
【図１】本発明の実施形態１によるバーチャル・コンカティネーション通信装置の構成を示すブロック図である。
【図２】本発明の実施形態１による送信側バーチャル・コンカティネーション通信装置と受信側バーチャル・コンカティネーション通信装置により構成されるバーチャル・コンカティネーション・パスの無瞬断変更方式の動作を示すシーケンス図である。
【図３】本発明の実施形態２によるバーチャル・コンカティネーション通信装置の構成を示すブロック図である。
【図４】本発明の実施形態２による送信側バーチャル・コンカティネーション通信装置と受信側バーチャル・コンカティネーション通信装置により構成されるバーチャル・コンカティネーション・パスの無瞬断変更方式の動作を示すシーケンス図である。
【図５】従来例によるバーチャル・コンカティネーション通信装置の構成を示すブロック図である。
【符号の説明】
１　イーサネット受信回路
２　ＧＦＰフレーム生成回路
３　ソネット・マッピング回路
４　ソネット・マッピング設定回路
５　ソネット・デマッピング回路
６　ソネット・マッピング設定回路
７　ＧＦＰ同期回路
８　イーサネット送信回路
９　バーチャル・コンカティネーション通信装置
１０　バッファ
９０１　イーサネット受信回路
９０２　ＧＦＰフレーム生成回路
９０３　ソネット・マッピング回路
９０４　ソネット・マッピング設定回路
９０５　ソネット・デマッピング回路
９０６　ソネット・マッピング設定回路
９０７　ＧＦＰ同期回路
９０８　イーサネット送信回路
９０９　バーチャル・コンカティネーション通信装置
９１１　マッピング選択回路
９１２　マッピング選択回路
【図１】
2004023259.tif 000003
【図２】
2004023259.tif 000004
【図３】
2004023259.tif 000005
【図４】
2004023259.tif 000006
【図５】
2004023259.tif 000007